(57)【特許請求の範囲】
【請求項１】
後方へ突出するモータ端子を備えてモータケースの後端開口を塞ぐ端蓋部及び前記モータケースの後端側下部に臨む端子支持部を一体的に有する樹脂製ブラケットと、前記モータ端子に電気的に接続してモータ軸に対する径方向の下方へ延在する径方向部分及びこの径方向部分の下端から折曲して前記モータ軸と略平行で前方へ延在する軸方向部分を有する中継端子と、基板上に圧接すべき第１の圧接部分を自由端側に持つばね状端子とを有し、前記端子支持部は、前記自由端側を後方へ向けた状態で前記ばね状端子の固定端側をモールドした片持ち支持部と、前記軸方向部分が重なる受け止め支持部と一体的に有し、前記軸方向部分の先端側は前記受け止め支持部と前記ばね状端子の第２の圧接部分との間に挟着されて成り、前記自由端側は前記軸方向部分の真下で前記第２の圧接部分から斜め下方に向けた中間部分を介して形成されていることを特徴とするモータ。
【請求項２】
請求項１に記載のモータにおいて、前記受け止め支持部は、前記端蓋部の後方から前記軸方向部分を差し込み規制する案内溝を有することを特徴とするモータ。
【請求項３】
請求項１又は請求項２に記載のモータにおいて、前記第２の圧接部分は前記受け止め支持部側に膨出した折り曲げ部分であることを特徴とするモータ。
【発明の詳細な説明】
【技術分野】
【０００１】
本発明は、振動モータ等のモータに関し、特にその給電端子構造に関する。
【背景技術】
【０００２】
特開２００１−３７１５０において、振動モータの給電端子は、モータ本体の端蓋側のモータ端子に半田付けされて端面に沿うように径方向に延びた取付け部分と、この取付け部分からモータ本体の前端側へ向けて直角に折り曲げられた第１の部分と、この第１の部分からＵ字状の折り曲げ部位を介して第１の部分に略平行に後方へ延在する第２の部分と、第２の部分から外方に向け湾曲突出させて導通接触部が形成された第３の部分とを備えている。第２の部分が第１の部分からＵ字状の折り曲げ部位を介して後方へ折り返されているため、振動モータを基板上に押え込む際は第３の部分の導通接触部がモータの出力軸に対して略直交する方向でモータ本体側に弾力的に接近するので、モータを基板上に安定して載置することができる。
【特許文献１】特開２００１−３７１５０（図１）
【発明の開示】
【発明が解決しようとする課題】
【０００３】
しかしながら、上記の給電端子はＵ字状の折り曲げ部位を有しているため、第３の部分の導通接触部がモータ本体側に接近する程、このＵ字状の折り曲げ部位に過度なストレスが生じ、板ばねとしてのへたりを招き、導通接触部の基板上への圧接度合いが次第に低下する。また、Ｕ字状の折り曲げ部位の平行間隔だけモータ本体と基板との距離が長くなる分、振動モータの基板上での実装高さが高くなる。
【０００４】
そこで上記問題点に鑑み、本発明の課題は、Ｕ字状の折り曲げ部位を持たない給電端子を用いることにより、基板上に安定して載置できるモータを提供することにある。
【課題を解決するための手段】
【０００５】
本発明に係るモータは、後方へ突出するモータ端子を備えてモータケースの後端開口を塞ぐ端蓋部及びこのモータケースの後端側下部に臨む端子支持部を一体的に有する樹脂製ブラケットと、モータ端子に電気的に接続してモータ軸に対する径方向の下方へ延在する径方向部分及びこの径方向部分の下端から折曲してモータ軸と略平行で前方へ延在する軸方向部分を有する中継端子と、基板上に圧接すべき第１の圧接部分を自由端側に持つばね状端子とを有し、端子支持部は、自由端側を後方へ向けた状態でばね状端子の固定端側をモールドした片持ち支持部と、軸方向部分が重なる受け止め支持部とを一体的に有し、軸方向部分の先端側は受け止め支持部とばね状端子の第２の圧接部分との間に挟着されて成り、自由端側は軸方向部分の真下で第２の圧接部分から斜め下方に向けた中間部分を介して形成されていることを特徴とする。
【０００６】
受け止め支持部に重なる軸方向部分の先端側が受け止め支持部とばね状端子の第２の圧接部分との間に挟着されているため、ばね状端子は第２の圧接部分で中継端子に導通しており、しかも、ばね状端子が中継端子の軸方向部分に対し後方へ配向しているため、モータを基板上に安定して載置できる。ばね状端子はＵ字状の折り曲げ部位を持たないので、ばね状端子としてのへたりを防止でき、またモータの基板上での実装高さを低くできる。給電端子としては中継端子とばね状端子との２部品となるが、モータ端子に対して半田接続等の取り付けが容易な中継端子を選択でき、ばね幅等を最適化したばね状端子を用いることができる。
【０００７】
受け止め支持部としては、端蓋部の後方から軸方向部分を差し込み規制する案内溝を有することが望ましい。端蓋部の後方から軸方向部分を案内溝に沿って差し込むと、片持ち支持部にモールド支持されたばね状端子の第２の圧接部分と受け止め支持部との間に、軸方向部分の先端側が差し込まれて固定されるので、中継端子とばね状端子とが導通するから、中継端子の径方向部分をモータ端子に取り付けるための作業で済ませることができる。
【０００８】
第２の圧接部分の形状としては、例えば、受け止め支持部側に膨出した折り曲げ部分であれば好く、ばね状端子の成形を簡略化できる。
【発明の効果】
【０００９】
本発明によれば、エンドブラケットは中継端子とばね状端子とを支持して両者を電気的に接続する端子支持部を一体的に有しているため、ばね状端子はＵ字状の折り曲げ部位を持たないので、基板上に安定して載置できることは勿論、ばね状端子としてのへたりを防止でき、またモータの基板上での実装高さを低くできる。
【発明を実施するための最良の形態】
【００１０】
次に、本発明の実施形態を添付図面に基づいて説明する。図１は本発明の実施例に係る電磁振動体を示す斜視図、図２は同電磁振動体の側面図、図３は同電磁振動体から弾性外囲体を取り外した振動モータを示す斜視図、図４は同振動モータを一部切断した状態を示す側面図、図５は同振動モータにおけるエンドブラケットを示す斜視図、図６は同エンドブラケットを切断した状態を示す断面図、図７は同振動モータに用いる一対の中継端子を示す斜視図である。
【００１１】
本例の電磁振動体１は振動モータ２の胴部に弾性外囲体３を被せて成る。振動モータ２は、図３及び図４に示す如く、ロータ（図示せず）を内蔵したモータケース１０と、このモータケース１０の前方へ突出したモータ軸（図示せず）に取着した偏心錘２０と、モータケース１０の後端開口を塞ぐ端蓋部３１を持つ樹脂製のエンドブラケット３０とを有する。
【００１２】
端蓋部３１は後方へ突出する一対のモータ端子２ａ，２ａを備えており、モータ端子２ａ，２ａはブラシ対（図示せず）に電気的に接続している。エンドブラケット３０は、端蓋部３１と一体的な端子支持部３２を併有している。この端子支持部３２はモータケース１０の後端下部に臨んでいる。
【００１３】
本例の給電端子はモータ端子２ａ，２ａに半田等で取り付けられる中継端子４０と基板上に圧接して導電接続するための板ばね状端子５０とから成る。中継端子４０は、図７に示すＬ字状片であり、端蓋部３１の端面に重なりモータ端子２ａ，２ａに電気的に接続してモータ軸（図示せず）に対する径方向の下方へ延在する径方向部分４１とこの下端から折曲してモータ軸と略平行で前方へ延在する軸方向部分４２とから成る。一方、板ばね状端子５０は自由端側５１に基板（図示せず）上に圧接すべき第１の圧接部分５１ａを有し、固定端側５２は端子支持部３２の片持ち支持部３２ａにて自由端側５１を後方へ向けた状態でモールド固定されている。中継端子４０の軸方向部分４２は端子支持部３２の受け止め支持部３２ｂに重なっており、軸方向部分４２の先端側は受け止め支持部３２ｂと板ばね状端子５０の第２の圧接部分５０ａとの間に挟着されている。本例の第２の圧接部分５０ａは受け止め支持部３２ｂ寄りに膨出した折り曲げ部分として形成されている。受け止め支持部３２ｂは端蓋部３１の後方から軸方向部分４２を差し込み規制する案内溝Ａを有している。板ばね状端子５０の自由端側５１は軸方向部分４２の真下で位置し、第２の圧接部分５０ａから斜め下方に向けた中間部分５３を介して形成されている。
【００１４】
本例の振動モータ２の組み付けにおいては、モータケース１０の後端開口をエンドブラケット３０の端蓋部３１で塞いだ後、中継端子４０の軸方向部分４２を端蓋部３１の後方から案内溝Ａに沿って差し込むと、片持ち支持部３２ａにモールド支持された板ばね状端子５０の第２の圧接部分５０ａと受け止め支持部３２ｂとの間に、軸方向部分４２の先端側が差し込まれて固定されるので、中継端子４０と板ばね状端子５０とが導通するから、中継端子４０の径方向部分４１をモータ端子２ａに取り付けるための作業で済ませることができる。
【００１５】
受け止め支持部３２ｂ上に重なる軸方向部分４２の先端側が受け止め支持部３２ｂと板ばね状端子５０の折り曲げ状の第２の圧接部分５０ａとの間に挟着されているため、板ばね状端子５０は第２の圧接部分５０ａで中継端子４０に導通している。板ばね状端子５０が中継端子４０の前方に延びる軸方向部分４２に対し後方へ配向しているため、振動モータ２を基板上に安定して載置できる。板ばね状端子５０はＵ字状の折り曲げ部位を持たないので、板ばね状端子５０としてのへたりを防止でき、また振動モータ２の基板上での実装高さを低くできる。本例では給電端子としては中継端子４０と板ばね状端子５０との２部品となるが、板ばね状端子５０はインサート成形によりエンドブラケット３０に組み込み固定されており、モータ端子２ａに対して半田接続等の取り付けが容易な中継端子４０を選択でき、また、ばね幅等を最適化した板ばね状端子５０を用いることができるメリットもある。
【図面の簡単な説明】
【００１６】
【図１】本発明の実施例に係る電磁振動体を示す斜視図である。
【図２】同電磁振動体の側面図である。
【図３】同電磁振動体から弾性外囲体を取り外した振動モータを示す斜視図である。
【図４】同振動モータを一部切断した状態を示す側面図である。
【図５】同振動モータにおけるエンドブラケットを示す斜視図である。
【図６】同エンドブラケットを切断した状態を示す断面図である。
【図７】図７は同振動モータに用いる一対の中継端子を示す斜視図である。
【符号の説明】
【００１７】
１…電磁振動体
２…振動モータ
２ａ…モータ端子
３…弾性外囲体
１０…モータケース
２０…偏心錘
３０…エンドブラケット
３１…端蓋部
３２…端子支持部
３２ａ…片持ち支持部
３２ｂ…受け止め支持部
４０…中継端子
４１…径方向部分
４２…軸方向部分
５０…板ばね状端子
５０ａ…第２の圧接部分
５１…自由端側
５１ａ…第１の圧接部分
５２…固定端側
５３…中間部分
Ａ…案内溝
【図１】
0004698492.tif 000002
【図２】
0004698492.tif 000003
【図３】
0004698492.tif 000004
【図４】
0004698492.tif 000005
【図５】
0004698492.tif 000006
【図６】
0004698492.tif 000007
【図７】
0004698492.tif 000008